(57)【要約】【課題】構造を複雑にすることなくケーブルの配線を行う。【解決手段】電動モータ３２と、電動モータ３２の駆動を制御するコントローラを内蔵し、かつケーブル３７が設けられたコントロールボックス３６と、電動モータ３２の駆動によって回転するスラット巻取ローラ３１とがシャッターケース３０の内側に配設されたシャッター装置であって、シャッターケース３０には、ケーブル配線用の空間５０をシャッターケース３０の外側に構成するための傾斜連結部３４ｃがスラット巻取ローラ３１の回転軸心Ｃに沿って設けられ、傾斜連結部３４ｃは上下方向に沿って延在する裏面板３４ｂに対して傾斜することによって形成されている。【選択図】図１
2020012276.tif 000002
【特許請求の範囲】
【請求項１】
電動モータと、前記電動モータの駆動を制御するコントローラを内蔵し、かつケーブルが設けられたコントロールボックスと、前記電動モータの駆動によって回転するスラット巻取ローラとがシャッターケースの内側に配設されたシャッター装置であって、
前記シャッターケースには、ケーブル配線用の空間を前記シャッターケースの外側に構成するための空間構成部が前記スラット巻取ローラの回転軸心に沿って設けられ、
前記空間構成部は、前記シャッターケースの一部が上下方向に延在する部分に対して傾斜もしくは湾曲することによって形成されていることを特徴とするシャッター装置。
【請求項２】
電動モータと、前記電動モータの駆動を制御するコントローラを内蔵し、かつケーブルが設けられたコントロールボックスと、前記電動モータの駆動によって回転するスラット巻取ローラとがシャッターケースの内側に配設されたシャッター装置であって、
前記シャッターケースには、ケーブル配線用の空間を前記シャッターケースの外側に構成するための空間構成部が前記スラット巻取ローラの回転軸心に沿って設けられ、
前記空間構成部は、前記シャッターケースの一部が内側に窪むことによって形成されていることを特徴とするシャッター装置。
【請求項３】
前記シャッターケースには、前記ケーブル配線用の空間に連通するケーブル引き出し用の引出口が設けられていることを特徴とする請求項１または請求項２に記載のシャッター装置。
【請求項４】
前記空間構成部は、前記シャッターケースの見込み方向において室内側となる部位に設けられていることを特徴とする請求項１〜請求項３のいずれか一つに記載のシャッター装置。
【発明の詳細な説明】
【技術分野】
【０００１】
本発明は、電動モータの駆動によって動作するシャッター装置に関する。
【背景技術】
【０００２】
建具の上部に付設されるシャッター装置には、電動モータによってスラットの巻き取り及び繰り出しを行うものがある。この種のシャッター装置では、電動モータ、コントローラ及びスラット巻取ローラが配設されたシャッターケースが室外に配置される。これに対してシャッターケースから外部に引き出された電源中継ケーブル等のケーブルについては、室内においてジョイントボックスに接続する必要がある。ここで、室外のシャッターケースにおいてケーブルが引き出される位置と、室内に配置されるジョイントボックスの位置とが互いに近い場合には、例えば建物の外装材に孔を設けてケーブルを室内に導入するだけでケーブルをジョイントボックスに接続することが可能となる。しかしながら、例えば、室内側から見てケーブルがシャッターケースの左側部分から引き出されているのに対して、室内のジョイントボックスが建具の右側に設けられている場合には、シャッターケースの左側から建具の右側までケーブルを配線する作業が必要となる。ケーブルを配線する方法としては、建具の上枠に沿ってケーブルを配設し、さらに上枠にカバー部材を設けることによってケーブルを覆うようにしたものが提供されている（例えば、特許文献１参照）。
【先行技術文献】
【特許文献】
【０００３】
【特許文献１】特開平４−２９７６９１号公報
【発明の概要】
【発明が解決しようとする課題】
【０００４】
しかしながら、上述のシャッター装置にあっては、シャッターケースの左右長さと同等程度の寸法を有したカバー部材を用意する必要があるため、構造が複雑になるおそれがある。
【０００５】
本発明は、上記実情に鑑みて、構造を複雑にすることなくケーブルの配線を行うことのできるシャッター装置を提供することを目的とする。
【課題を解決するための手段】
【０００６】
上記目的を達成するため、本発明に係るシャッター装置は、電動モータと、前記電動モータの駆動を制御するコントローラを内蔵し、かつケーブルが設けられたコントロールボックスと、前記電動モータの駆動によって回転するスラット巻取ローラとがシャッターケースの内側に配設されたシャッター装置であって、前記シャッターケースには、ケーブル配線用の空間を前記シャッターケースの外側に構成するための空間構成部が前記スラット巻取ローラの回転軸心に沿って設けられ、前記空間構成部は、前記シャッターケースの一部が上下方向に延在する部分に対して傾斜もしくは湾曲することによって形成されていることを特徴とする。
【０００７】
また、本発明に係るシャッター装置は、電動モータと、前記電動モータの駆動を制御するコントローラを内蔵し、かつケーブルが設けられたコントロールボックスと、前記電動モータの駆動によって回転するスラット巻取ローラとがシャッターケースの内側に配設されたシャッター装置であって、前記シャッターケースには、ケーブル配線用の空間を前記シャッターケースの外側に構成するための空間構成部が前記スラット巻取ローラの回転軸心に沿って設けられ、前記空間構成部は、前記シャッターケースの一部が内側に窪むことによって形成されていることを特徴とする。
【発明の効果】
【０００８】
本発明によれば、シャッターケースに設けた空間構成部によってケーブル配線用の空間が構成されるため、構造を複雑にすることなくケーブルの配線作業を行うことが可能となる。
【図面の簡単な説明】
【０００９】
【図１】本発明の実施の形態であるシャッター装置を枠体に取り付けた状態の縦断面図である。
【図２】図１に示したシャッター装置を枠体に取り付ける途中の状態を示す分解斜視図である。
【図３】図１に示したシャッター装置のシャッターケースを概念的に示す斜視図である。
【図４】図１に示したシャッター装置のケーブルと室内のジョイントボックスとが同じ側にある場合のシャッター装置の取付手順を模式的に示すもので、（ａ）はシャッター装置を枠体に取り付ける以前の状態を示す平面図、（ｂ）はシャッター装置を枠体のシャッターボックスに配置した状態の平面図である。
【図５】図１に示したシャッター装置のケーブルと室内のジョイントボックスとが互いに逆側にある場合のシャッター装置の取付手順を模式的に示すもので、（ａ）はシャッター装置を枠体に取り付ける以前の状態を示す平面図、（ｂ）はシャッター装置を枠体のシャッターボックスに配置した状態の平面図である。
【図６】シャッターケースの変形例１を概念的に示す斜視図である。
【図７】変形例１のシャッターケースを備えるシャッター装置を枠体に取り付けた状態の要部縦断面図である。
【図８】シャッターケースの変形例２を概念的に示す斜視図である。
【図９】変形例２のシャッターケースを備えるシャッター装置を枠体に取り付けた状態の要部縦断面図である。
【発明を実施するための形態】
【００１０】
以下、添付図面を参照しながら本発明に係るシャッター装置の好適な実施の形態について詳細に説明する。
図１は、本発明の実施の形態であるシャッター装置を示したものである。ここで例示するシャッター装置１は、引き違い窓等の建具を対象としてその上部に付設される建具用のものである。図１及び図２に示すように、シャッター装置１が取り付けられる建具の枠体１０には、障子（図示せず）が設けられる開口枠３よりも上方となる部位にシャッターボックス１１が構成してある。シャッターボックス１１は、シャッター装置１を収容して支持するためのものである。本実施の形態では、左右の縦枠１２が上枠１３よりも上方に延在する部分を有し、延在した縦枠１２の上端部間にルーフ板１４を架設することによって横長直方体状のシャッターボックス１１が構成してある。シャッターボックス１１を構成する上枠１３及びルーフ板１４は、それぞれ躯体Ｂ側に位置する部分に上方に沿って延在する釘ヒレ部１３ａ，１４ａを有しており、それぞれの釘ヒレ部１３ａ，１４ａが外壁Ｇの室外に臨む表面に当接した状態で釘やネジＳを打つことで建物に取り付けてある。なお、図からも明らかなように、上枠１３については、見込み方向において釘ヒレ部１３ａよりも室内側に突出する部分が設けてあり、この突出した部分を介しても建物の躯体Ｂに取り付けてある。なお、見込み方向とは、図中の矢印Ａで示すように、建具の奥行きに沿った方向である。
【００１１】
シャッターボックス１１において室外側に位置する部分は、シャッター装置１を収容するための挿入口として開口している。これに対してシャッターボックス１１において躯体Ｂ側に位置する部分は、内側から防水シート２０を配設することによって開口が閉塞してある。防水シート２０は、シャッターボックス１１から躯体Ｂ側へ水が浸入するのを防止するための薄膜状部材である。本実施の形態では、水の通過は阻止する一方で、水蒸気の通過は許容する透湿性の防水シート２０を適用し、この防水シート２０によってシャッターボックス１１の躯体Ｂ側に位置する開口の全面を覆うようにしている。ルーフ板１４においては、釘ヒレ部１４ａが下方まで延在しており、その室外に臨む表面が防水シート２０の貼り付け面となっている。上枠１３については、釘ヒレ部１３ａの室外に臨む表面が防水シート２０の貼り付け面を兼用している。
【００１２】
上述のシャッターボックス１１に配置されるシャッター装置１は、図には明示していないが、シャッターケース３０の内側にスラット巻取ローラ３１を回転可能に配設したものである。スラット巻取ローラ３１は、内蔵する電動モータ３２の駆動により、左右方向に沿ってほぼ水平となる回転軸心Ｃを中心として回転し、枠体１０の開口枠３に対してスラット３３の巻き取り及び繰り出しを行うものである。スラット巻取ローラ３１から繰り出されたスラット３３は、左右の縦枠１２に設けた図示せぬガイドに沿って下方に案内され、枠体１０の開口枠３を塞ぐことが可能である。
【００１３】
シャッターケース３０は、シャッター装置１の外殻を構成するもので、図１〜図３に示すように、カバー部３４と、２つの軸支持部３５とを備えて構成してある。カバー部３４は、スラット巻取ローラ３１の外周に設けたもので、上面板３４ａ及び裏面板３４ｂを有している。上面板３４ａは、スラット巻取ローラ３１の上部周面を覆うようにほぼ水平に沿って延在する部分である。裏面板３４ｂは、スラット巻取ローラ３１の躯体Ｂ側に位置する側部周面を覆うようにほぼ上下方向に沿って延在する部分である。軸支持部３５は、カバー部３４の両端部に互いに対向するように配設したものである。図には明示していないが、上述のスラット巻取ローラ３１は、その両端部が軸支持部３５に回転可能に支持してある。
【００１４】
また、シャッターケース３０には、コントロールボックス３６が配設してある。コントロールボックス３６は、図には明示していないが、内部にコントローラを収容するものである。コントローラは、室内に設けられた図示せぬ無線リモコンから与えられた指令に基づいて電動モータ３２の駆動を制御するためのものである。本実施の形態では、図２及び図３に示すように、上面板３４ａにおいて左右方向のほぼ中央となる部位に、一部が外部に露出した状態でシャッターケース３０にコントロールボックス３６が取り付けてある。このコントロールボックス３６には、シャッターケース３０の内側に位置する部位に電源中継ケーブル（以下、単にケーブル３７という）が設けられている。ケーブル３７は、コントローラに対して給電を行うもので、図４及び図５に示すように、室内に設けられているジョイントボックス４０に接続するため、カバー部３４に設けた引出口３８を通じてシャッターケース３０の外側に引き出してある。
【００１５】
本実施の形態のシャッター装置１では、室外側から見てコントロールボックス３６の右側（室外側から見て左右方向の一方側）に位置する端面にケーブル３７が設けてあり、このケーブル３７がカバー部３４の右側部分に設けられた引出口３８からシャッターケース３０の外側に引き出してある。より具体的に説明すると、本実施の形態のシャッターケース３０では、カバー部３４の上面板３４ａと裏面板３４ｂとの間に傾斜連結部（空間構成部）３４ｃが設けてあり、この傾斜連結部３４ｃの室外側から見て右側に片寄った部分（室外側から見て左右方向の一方側に片寄った部分）にケーブル３７を引き出すための引出口３８が形成してある。傾斜連結部３４ｃは、裏面板３４ｂの上方に位置する縁部から上面板３４ａに向けて漸次上方となるように傾斜した平板状部分であり、上面板３４ａ及び裏面板３４ｂを一体に成形する際に折曲部を２つ設けることで構成してある。傾斜連結部３４ｃの高さ及び幅は、いずれもケーブル３７の外径よりも大きくなるように形成してある。なお、引出口３８は、必ずしも傾斜連結部３４ｃにのみ設ける必要はなく、傾斜連結部３４ｃから上面板３４ａにわたる部位や傾斜連結部３４ｃから裏面板３４ｂにわたる部位に設けてあっても良い。
【００１６】
上述したシャッター装置１を建物に取り付ける場合には、まず躯体Ｂに枠体１０を取り付けた後、図２に示すように、防水シート２０によってシャッターボックス１１の躯体Ｂ側に位置する開口全面を覆う。防水シート２０は、枠体１０を取り付ける以前に躯体Ｂの表面にも予め設けておくことが好ましい。この状態から裏面板３４ｂの外側面（見込み方向室内側面）が躯体Ｂの表面に対向する状態でシャッター装置１をシャッターボックス１１に挿入し、シャッターケース３０の両端部を介して縦枠１２に取付ネジ３９を螺合すれば、シャッター装置１が枠体１０に支持されることになる。この間、シャッターケース３０から外部に引き出したケーブル３７は、シャッターケース３０に取付ネジ３９を螺合する以前に、防水シート２０に切欠２１を設けて枠体１０の外部に導出し、さらに室内に引き出した状態としておく。切欠２１を設ける部位は、ルーフ板１４の下方に延在する釘ヒレ部１４ａよりも下方となる位置である。その後、適宜なタイミングで室内のジョイントボックス４０にケーブル３７を接続すれば、コントローラに給電することができるようになる。
【００１７】
ここで、図４（ａ）に示すように、室内のジョイントボックス４０が室外側から見て建具の右側（室外側から見て左右方向の一方側）に設けられている場合には、防水シート２０に対しても室外側から見て右側、好ましくはシャッターケース３０の引出口３８に対向するように切欠２１を形成すれば良い。室外側から見て右側に切欠２１を形成した場合には、図４（ｂ）に示すように、シャッターケース３０から引き出されたケーブル３７をそのまま枠体１０の外部に導出し、室内側に引き出すことができるようになる。室内側に引き出されたケーブル３７は、ジョイントボックス４０との距離も近いため、接続作業を容易に行うことができる。
【００１８】
これに対して、例えば室外側から見て建具の右側に入隅となる壁Ｗが近接している等の理由により、図５（ａ）に示すように、室内のジョイントボックス４０が室外側から見て建具の左側（室外側から見て左右方向の他方側）に設けられている場合には、防水シート２０に対して室外側から見て左側に片寄った位置に切欠２１を形成し、この切欠２１を介して導出したケーブル３７を室内側に引き出すようにする。こうすることで、図５（ｂ）に示すように、室内側に引き出されたケーブル３７がジョイントボックス４０と近くなるため、ケーブル３７とジョイントボックス４０との接続作業を容易に行うことができる。但し、防水シート２０の左側に片寄って切欠２１を設けた場合には、シャッターボックス１１の内部においてシャッターケース３０の右側に設けられた引出口３８から枠体１０の左側に設けられた切欠２１に至るまでの間にケーブル３７が露出した状態となるため、配線処理を施す必要がある。
【００１９】
しかしながら、上述のシャッター装置１では、シャッターケース３０のカバー部３４において上面板３４ａと裏面板３４ｂとの間に傾斜連結部３４ｃを設けるようにしている。傾斜連結部３４ｃは、裏面板３４ｂの上下方向上側の縁部から上面板３４ａに向けて漸次上方となるように傾斜したものである。このため、枠体１０にシャッター装置１を取り付けた状態においては、図１に示すように、シャッターケース３０と防水シート２０との間にスラット巻取ローラ３１の回転軸心Ｃに沿って左右に延在し、かつ上面に開口した断面三角形状の空間５０が、見込み方向においてもっとも室内側となる部位に左右方向の全長に構成されることになる。この空間５０は、高さ及び幅がケーブル３７の外径より大きく構成してあり、内部にケーブル３７を収容することが可能である。従って、シャッターケース３０の外側に露出したケーブル３７をこの空間５０に配置するだけで配線処理が完了することになる。これにより、仮に電動モータ３２の駆動によってシャッターケース３０が振動したとしても、ケーブル３７がシャッターボックス１１の開口側に垂れ下がってくる事態が招来されることがない。しかも、上述の構成は、シャッターケース３０の上面板３４ａと裏面板３４ｂとの間に傾斜連結部３４ｃを設けるだけで良いため、構造が複雑になるおそれもない。さらに、ケーブル配線用の空間５０は、カバー部３４と防水シート２０との間に設けてあるため、配線したケーブル３７が、スラットや電動モータ３２、スラット巻取ローラ３１等、シャッターケース３０の内側に配設された可動物に接触するおそれもない。
【００２０】
なお、上述した実施の形態では、シャッターケース３０のカバー部３４に傾斜連結部３４ｃを設けることにより、取付面である防水シート２０との間に断面が三角形状となるケーブル配線用の空間５０を構成するようにしている。このため、カバー部３４の形状が複雑になる問題を招来することがないが、ケーブル配線用の空間を構成するための空間構成部は必ずしもこれに限定されない。例えば、上面板と裏面板との間に湾曲状の凹面を設けることによって空間を構成しても良いし、図６及び図７に示す変形例１のように、複数の平面をシャッターケース３０の内側に窪むように設けることで空間を構成することも可能である。すなわち、この変形例１では、上面板３４ａと裏面板３４ｂとの間に、垂直連結部（空間構成部）３４ｄ及び水平連結部（空間構成部）３４ｅを設けることによって防水シート２０との間に断面矩形状の空間５１を構成するようにしている。垂直連結部３４ｄは、上面板３４ａの見込み方向室内側の縁部から下方に向けて延在するように設けたものであり、水平連結部３４ｅは、裏面板３４ｂの上下方向上側の縁部から室外に向けて延在するように設けたものである。これらの垂直連結部３４ｄ及び水平連結部３４ｅをシャッターケース３０に設けることにより、防水シート２０との間に断面矩形状を成し、かつスラット巻取ローラ３１の回転軸心Ｃに沿って延在したケーブル配線用の空間５１を構成している。ケーブル３７の引出口３８は、垂直連結部３４ｄもしくは水平連結部３４ｅにのみ設けても良いし、両者にわたって設けるようにしても良い。なお、変形例１において実施の形態と同様の構成については同一の符号が付してある。
【００２１】
また、上述した実施の形態及び変形例１では、いずれもケーブル配線用の空間５０，５１が上方に開口しているが、防水シート２０に対向する面にのみ開口するようにケーブル配線用の空間を設けても良い。なお、実施の形態及び変形例１では、コントロールボックス３６がシャッターケース３０の上方部に設けてあるため、ケーブル配線用の空間５０，５１についてもカバー部３４の上部に構成するようにしているが、本発明はこれに限定されない。例えば、図８及び図９に示す変形例２のように、コントロールボックス３６がシャッターケース３０の下方部に設けられているシャッター装置１においては、カバー部３４の下部にケーブル配線用の空間５２を設けても良い。すなわち、変形例２においては、裏面板３４ｂの下縁部（上下方向下側の縁部）に第１の水平連結部（空間構成部）３４ｆ、垂直連結部（空間構成部）３４ｇ及び第２の水平連結部（空間構成部）３４ｈを、シャッターケース３０の内側に窪むように設けることによって防水シート２０との間に、スラット巻取ローラ３１の回転軸心Ｃに沿って左右に延在したケーブル配線用の空間５２を構成するようにしている。第１の水平連結部３４ｆは、裏面板３４ｂの下縁から室外に向けて延在したものである。垂直連結部３４ｇは、第１の水平連結部３４ｆから下方に向けて延在したものである。第２の水平連結部３４ｈは、垂直連結部３４ｇの下縁から躯体Ｂに向けて延在したものである。ケーブル３７の引出口３８は、第１の水平連結部３４ｆ、垂直連結部３４ｇ及び第２の水平連結部３４ｈのいずれかに設けても良いし、あるいはこれらの複数にわたって設けても良い。なお、カバー部３４の下部にケーブル配線用の空間５２を設ける場合には、防水シート２０において上枠１３の釘ヒレ部１３ａよりも上方となる位置に切欠２１を設けることが好ましい。なお、変形例２において実施の形態と同様の構成については同一の符号が付してある。
【００２２】
さらに、上述した実施の形態、変形例１及び変形例２では、ケーブル配線用の空間５０，５１，５２に開口するように引出口３８を設けるようにしているため、シャッターケース３０から引き出したケーブル３７をそのままケーブル配線用の空間５０，５１，５２に配設することができ、ケーブル３７の配線作業をより容易に行うことが可能となる。しかしながら、引出口３８は、必ずしもケーブル配線用の空間５０，５１，５２に開口している必要はない。
【００２３】
またさらに、上述した実施の形態、変形例１及び変形例２では、枠体１０に設けた防水シート２０を取付面としてケーブル配線用の空間５０，５１，５２を設けるようにしているため、防水シート２０に切欠２１を設けることでケーブル３７を枠体１０の外部に引き出すことが可能となる。しかしながら、必ずしも防水シート２０との間にケーブル配線用の空間５０，５１，５２を設ける必要はなく、例えば取付面となるルーフ板１４や上枠１３の釘ヒレ部１３ａ，１４ａとの間にケーブル配線用の空間を構成することも可能である。
【００２４】
また、上述した実施の形態、変形例１及び変形例２では、室外側から見た場合にシャッターケース３０の右側に片寄った位置からケーブル３７を引き出したものを例示しているが、ケーブル３７を引き出す位置は必ずしもこれに限定されず、任意の位置で良い。
【００２５】
本発明に係るシャッター装置は、電動モータと、前記電動モータの駆動を制御するコントローラを内蔵し、かつケーブルが設けられたコントロールボックスと、前記電動モータの駆動によって回転するスラット巻取ローラとがシャッターケースの内側に配設されたシャッター装置であって、前記シャッターケースには、ケーブル配線用の空間を前記シャッターケースの外側に構成するための空間構成部が前記スラット巻取ローラの回転軸心に沿って設けられ、前記空間構成部は、前記シャッターケースの一部が上下方向に延在する部分に対して傾斜もしくは湾曲することによって形成されていることを特徴とする。
【００２６】
この発明によれば、シャッターケースに設けた空間構成部によってケーブル配線用の空間が構成されるため、構造を複雑にすることなくケーブルの配線作業を行うことが可能となる。しかも、ケーブル配線用の空間は、シャッターケースの外側に設けられるため、配線したケーブルが、シャッターケースの内側に配設されたスラットや電動モータ、スラット巻取ローラ等の可動物に接触するおそれもない。
【００２７】
また、本発明に係るシャッター装置は、電動モータと、前記電動モータの駆動を制御するコントローラを内蔵し、かつケーブルが設けられたコントロールボックスと、前記電動モータの駆動によって回転するスラット巻取ローラとがシャッターケースの内側に配設されたシャッター装置であって、前記シャッターケースには、ケーブル配線用の空間を前記シャッターケースの外側に構成するための空間構成部が前記スラット巻取ローラの回転軸心に沿って設けられ、前記空間構成部は、前記シャッターケースの一部が内側に窪むことによって形成されていることを特徴とする。
【００２８】
この発明によれば、シャッターケースに設けた空間構成部によってケーブル配線用の空間が構成されるため、構造を複雑にすることなくケーブルの配線作業を行うことが可能となる。しかも、ケーブル配線用の空間は、シャッターケースの外側に設けられるため、配線したケーブルが、シャッターケースの内側に配設されたスラットや電動モータ、スラット巻取ローラ等の可動物に接触するおそれもない。
【００２９】
また本発明は、上述したシャッター装置において、前記シャッターケースには、前記ケーブル配線用の空間に連通するケーブル引き出し用の引出口が設けられていることを特徴とする。
【００３０】
この発明によれば、引出口を介してシャッターケースの外部に引き出したケーブルをそのままケーブル配線用の空間に配設することができるため、ケーブルの配線作業をより容易に行うことが可能となる。
【００３１】
また本発明は、上述したシャッター装置において、前記空間構成部は、前記シャッターケースの見込み方向において室内側となる部位に設けられていることを特徴とする。
【００３２】
この発明によれば、空間構成部が見込み方向において室内側となる部位に設けられているため、ケーブルの配線をシャッターケースの室内側で行うことが可能となり、配線作業や室内にあるジョイントボックスとの接続作業を容易に行うことができる。
【符号の説明】
【００３３】
１  シャッター装置、１０  枠体、１１  シャッターボックス、２０  防水シート、２１  切欠、３０  シャッターケース、３１  スラット巻取ローラ、３２  電動モータ、３４  カバー部、３４ａ  上面板、３４ｂ  裏面板、３４ｃ  傾斜連結部、３４ｄ  垂直連結部、３４ｅ  水平連結部、３４ｆ  第１の水平連結部、３４ｇ  垂直連結部、３４ｈ  第２の水平連結部、３６  コントロールボックス、３７  ケーブル、３８  引出口、５０，５１，５２  ケーブル配線用の空間、Ｃ  スラット巻取ローラの回転軸心
【図１】
2020012276.tif 000003
【図２】
2020012276.tif 000004
【図３】
2020012276.tif 000005
【図４】
2020012276.tif 000006
【図５】
2020012276.tif 000007
【図６】
2020012276.tif 000008
【図７】
2020012276.tif 000009
【図８】
2020012276.tif 000010
【図９】
2020012276.tif 000011